(57)【特許請求の範囲】
【請求項１】
可撓性のある細長い紐状体であって、
隣り合うマークとの間の間隔を変化させて長手方向に間隔をあけて付された同形状の少なくとも三つのマークを一組にすることにより、長手方向の方向性を表示するための方向表示マークを形成して、上記方向表示マークを外部から見えるように付すと共に、
上記方向表示マークを立体的に形成して、触覚によって識別することができるようにしたことを特徴とする紐状体。
【請求項２】
上記紐状体の一方の端部と他方の端部とがあい異なる状態に構成されている請求項１記載の紐状体。
【請求項３】
上記紐状体が電気ケーブルである請求項１又は２記載の紐状体。
【請求項４】
上記紐状体が医療用のチューブである請求項１又は２記載の紐状体。
【発明の詳細な説明】
【０００１】
【発明の属する技術分野】
この発明は、長手方向の方向性を有する紐状体の方向表示に関する。
【０００２】
【従来の技術】
コードの先端にイヤフォンが付けられて基端に差し込みプラグが付けられたヘッドフォンや、先端に電源プラグが付けられて基端側が電熱部に接続されたこたつ用電源コード等のような紐状体には、先端と基端のはっきりとした方向性があるが、紐状部にはその方向性が表示されていない。
【０００３】
【発明が解決しようとする課題】
ヘッドフォンは、例えばカセットテープレコダー等に接続された状態で衣服のポケット等に入れられることがある。
【０００４】
そして、録音されている音楽等を聴くためにポケットに手を入れてイヤフォンを取り出そうとしたとき、コードの途中の部分だけがポケットから出てくる場合がしばしばあり、そんな時は、コードのどちら側を引っ張ったらよいのか分からず不便である。また、同様のことがこたつの電源コードなど各種の紐状体において発生する。
【０００５】
そこで本発明は、長手方向に方向性を有する紐状体の方向性を容易に識別することができる紐状体の方向表示を提供することを目的とする。
【０００６】
【課題を解決するための手段】
上記の目的を達成するため、本発明の紐状体の方向表示は、可撓性のある細長い紐状体に、長手方向の方向性を表示するための方向表示マークを外部から見えるように付したことを特徴とし、上記紐状体の一方の端部と他方の端部とがあい異なる状態に構成されていてもよい。
【０００７】
なお、上記方向表示マークが、単独で方向表示機能を有するマークを複数並べて形成されていてもよく、或いは隣り合うマークとの間の間隔を変化させて上記紐状体の長手方向に間隔をあけて付された同形状の少なくとも三つのマークを一組にして形成されていてもよい。
【０００８】
また、上記方向表示マークが、あい異なる形状で上記紐状体の長手方向に並べて付された少なくとも二つのマークを一組にして形成されていてもよく、上記方向表示マークを立体的に形成して、触覚によって識別することができるようにしてもよい。
【０００９】
また、上記方向表示マークが、あい異なる色で上記紐状体の長手方向に並べて付された少なくとも二つの色マークを一組にして形成されていてもよい。
なお、上記紐状体が電気ケーブルであってもよく、医療用のチューブ等であってもよい。
【００１０】
【発明の実施の形態】
図面を参照して本発明の実施の形態を説明する。
図２は、本発明をこたつ１の電源コードに適用した第１の実施の形態を示しており、電熱部を内部に有するこたつ１に布団２が掛けられていて、布団２の裾から可撓性のある細長い電源コード３の途中の部分がはみ出している。
【００１１】
このコード３は、基端がこたつ１内の電熱部に接続されていて、先端には、図１に示されるように電源プラグ５が取り付けられている。そしてコード３の外面には、図１に示されるように、プラグ５側に先を向けた複数の矢印マーク６が、長手方向に適当な間隔で並べて付されている。
【００１２】
このような矢印マーク６は、単独で方向表示の機能を有するから、その一つを見ればコード３のどちら側にプラグ５が取り付けられているかを識別することができる。
【００１３】
このように矢印マーク６を長手方向に並べることにより、図３に示されるように、コード３のどの部分が布団２の裾からはみ出していても、プラグ５のある方向を一目で識別することができる。また、矢印マーク６の位置を順に周方向にずらすことにより、どの方向からでも矢印マーク６を視認することができる。
【００１４】
図４は、本発明の第２の実施の形態を示しており、例えば●印等からなる同形状のマーク１６を三つ一組にしてコード３の長手方向に並べて付し、三つのマーク１６において隣り合うマーク１６間の間隔を変化させて、マーク１６間の間隔の狭い方が先端側になるようにしたものである。このようにすると、コード３が非常に細くてもその方向性を容易に識別することができる。
【００１５】
図５は、本発明の第３の実施の形態を示しており、第２の実施の形態の●印に代えて、コード３を一周する線状の同形状のマーク２６を四つ一組にしてコード３の長手方向に並べて付し、四つのマーク２６において隣り合うマーク２６間の間隔を変化させて、マーク２６間の間隔の狭い方が先端側になるようにしたものである。この場合にも、上述の第２の実施の形態と同様の効果が得られる。
【００１６】
図６は、本発明の第４の実施の形態を示しており、第２の実施の形態の●印に代えて、例えばＰの字からなる同形状のマーク３６を三つ一組にしてコード３の長手方向に並べて付し、三つのマーク３６において隣り合うマーク３６間の間隔を変化させて、マーク３６間の間隔の狭い方が先端側になるようにしたものである。
【００１７】
図７は、本発明の第５の実施の形態を示しており、・●のように、あい異なる形状（この場合は相似形）の二つのマーク４６を一組にしてコード３の長手方向に並べて付し、径の小さな・側が先端側になるようにしたものである。このようにしても、コード３の方向性を容易に識別することができる。
【００１８】
図８は、本発明の第６の実施の形態を示しており、第５の実施の形態の・●マークに代えて、▲と○の二つのマーク５６を一組にしてコード３の長手方向に並べて付し、▲の側が先端側になるようにしたものである。
【００１９】
図９は、本発明の第７の実施の形態を示しており、コード３の方向性を表示するためのマーク６６ａ，６６ｂを、コード３の素地によって表現されるようにその周囲の色を素地と変えて形成したものである。
【００２０】
図１０は、本発明の第８の実施の形態を示しており、例えば赤と青のようにコード３の表面色と異なる色であってかつあい異なる色からなる二つの色マーク７６ａ，７６ｂを一組にしてコード３の長手方向に並べて付し、例えば赤色マーク７６ａのある側が先端側になるようにしたものである。
【００２１】
このようにすると、第２の実施の形態などと同様に、コード３が非常に細くてもその方向性を容易に識別することができる。なお、各色マーク７６ａ，７６ｂはコード３を一周していてもよく、していなくてもよい。
【００２２】
なお、上記各実施の形態においては、視覚によってコード３の方向性を識別できるようにしたが、本発明はそれに限定されるものではなく、前述のような各マークをコード３の表面に立体的に設けて、触覚によってコード３の方向性を識別できるようにしてもよい。
【００２３】
また、本発明は、こたつ１の電源コード３以外にも、例えば図１１に示されるような電子内視鏡装置のビデオ信号用ケーブルや、図１２に示されるようなコンピュータのインターフェイスケーブル、或いはヘッドフォン用その他に用いられるコード類等に適用してもよい。
【００２４】
また、本発明を図１３に示される医療用の送水チューブ等に適用してもよく、透明チューブ内を液が正しい方向に流れているかどうかを確認することができるようになる効果も生じる。このように、本発明は、コード類やチューブ類を含む各種紐状体に広く適用することができる。
【００２５】
【発明の効果】
本発明によれば、可撓性のある細長い紐状体の外面に、長手方向の方向性を表示する方向表示を付したことにより、紐状体の方向性を容易に識別することができ、所望の側の端部を正しく手元側に引っ張り出すことができる。
【図面の簡単な説明】
【図１】本発明の第１の実施の形態のコードの側面図である。
【図２】本発明の第１の実施の形態のこたつの略示図である。
【図３】本発明の第１の実施の形態のコードがこたつ布団の裾からはみ出している状態の略示図である。
【図４】本発明の第２の実施の形態のコードの側面図である。
【図５】本発明の第３の実施の形態のコードの側面図である。
【図６】本発明の第４の実施の形態のコードの側面図である。
【図７】本発明の第５の実施の形態のコードの側面図である。
【図８】本発明の第６の実施の形態のコードの側面図である。
【図９】本発明の第７の実施の形態のコードの側面図である。
【図１０】本発明の第８の実施の形態のコードの側面図である。
【図１１】本発明が適用されるケーブルの一例を示す側面図である。
【図１２】本発明が適用されるケーブルの一例を示す側面図である。
【図１３】本発明が適用されるチューブの一例を示す側面図である。
【符号の説明】
３  コード
５  プラグ
６，１６，２６，３６，４６，５６，６６ａ，６６ｂ，７６ａ，７６ｂ  マーク
【図１】
0003559376.tif 000002
【図２】
0003559376.tif 000003
【図３】
0003559376.tif 000004
【図４】
0003559376.tif 000005
【図５】
0003559376.tif 000006
【図６】
0003559376.tif 000007
【図７】
0003559376.tif 000008
【図８】
0003559376.tif 000009
【図９】
0003559376.tif 000010
【図１０】
0003559376.tif 000011
【図１１】
0003559376.tif 000012
【図１２】
0003559376.tif 000013
【図１３】
0003559376.tif 000014